(57)【特許請求の範囲】
【請求項１】
据え置き可能または壁掛け可能または携帯可能なメモ自動表示装置であって、
文字情報もしくは手書き文字をメモとして入力するメモ入力手段と、前記入力したメモに係る情報の表示開始日時を登録する表示開始日時登録手段と、前記入力したメモの表示に係るパスワードを登録するパスワード登録手段と、前記メモに係る情報を通知する通知先を登録する通知先登録手段と、前記入力した１以上のメモと前記登録した表示開始日時と前記登録したパスワードと前記登録した通知先を対応付けて記憶するメモ記憶手段と、前記メモ記憶手段に記憶されているメモに係る情報を自表示装置が備える表示部に表示するメモ表示手段と、前記通知先へ前記記憶したメモに係る情報を送信するメモ送信手段と、を有し、
前記メモ記憶手段に記憶されているいずれかのメモの表示開始日時が到来した場合に、当該メモに対応するパスワードが登録されていないならば、または当該メモに対応するパスワードが入力されたならば、前記メモ表示手段は当該メモに係る情報を表示すると共に、当該メモに対応する通知先が登録されていたならば、前記メモ送信手段は当該メモに係る情報を前記通知先へ送信することを特徴とするメモ自動表示装置。
【発明の詳細な説明】
【技術分野】
【０００１】
本発明は、予定、伝言、備忘録等のメモを表示可能な表示装置に関する。
【背景技術】
【０００２】
従来、イベント案内とマルチメディアイベントガイドとを同一ディスプレイに表示出力し、両者をリンクすると共にインターラクテイブな操作環境を提供する技術がある（例えば、特許文献１）。
【０００３】
この技術は、掲示板装置、表示装置等により構成される電子掲示板システムに係り、掲示板装置は、イベント予定、イベント内容等のデータおよび表示画面の生成に必要な表示データを記憶していて、利用者の選択操作に応じて、検索，処理した所定のイベント関連の表示画面および音声信号を表示装置に出力する。また、メンテナンス端末装置は、掲示板装置と通信し、イベント関連データおよび表示画面の生成に必要な表示データを登録，記憶させる。そして、前記メンテナンス端末装置と一台以上の掲示板装置は、ＬＡＮ（Ｌｏｃａｌ  Ａｒｅａ  Ｎｅｔｗｏｒｋ）で接続されていて、メンテナンス端末装置は、ＬＡＮ経由でイベント関連データ及び表示データ等を掲示板装置へ送出し、掲示板装置は、受信，記憶したイベントの予定や案内を自動表示し、利用者が選択操作した時には、選択操作した条件によりイベント関連データを検索し、検索したイベント関連の画像信号および音声信号を表示装置に出力する。
【０００４】
しかしながら、この技術は、不特定多数へのイベント案内とマルチメディアイベントガイドとを同一の大画面ディスプレイに表示出力すると共に、不特定多数の利用者にインターラクテイブな検索操作環境を提供する電子掲示板システムの構築を目的としている。このため、システムが大掛かりであり、利用者自身が各種データやスケジュールを登録し、自身の備忘録または自グループの共有情報として表示する形態は考慮されていない。
【先行技術文献】
【特許文献】
【０００５】
【特許文献１】特開平１０−２５４４２０公報
【発明の開示】
【発明が解決しようとする課題】
【０００６】
そこで、本発明の課題は、利用者または利用者グループが入力した、イベントもしくは行動の予定に係る予定メモ、伝言情報に係る伝言メモ、備忘録としての一時メモを利用者自身の備忘録または利用者グループの共有情報として表示するのに好適な、小型，経済的なメモ自動表示装置を提供することにある。
【課題を解決するための手段】
【０００７】
上記課題を解決するために、本発明は、据え置き可能または壁掛け可能または携帯可能なメモ自動表示装置であって、文字情報もしくは手書き文字をメモとして入力するメモ入力手段と、前記入力したメモに係る情報の表示開始日時を登録する表示開始日時登録手段と、前記入力したメモの表示に係るパスワードを登録するパスワード登録手段と、前記メモに係る情報を通知する通知先を登録する通知先登録手段と、前記入力した１以上のメモと前記登録した表示開始日時と前記登録したパスワードと前記登録した通知先を対応付けて記憶するメモ記憶手段と、前記メモ記憶手段に記憶されているメモに係る情報を自表示装置が備える表示部に表示するメモ表示手段と、前記通知先へ前記記憶したメモに係る情報を送信するメモ送信手段と、を有し、前記メモ記憶手段に記憶されているいずれかのメモの表示開始日時が到来した場合に、当該メモに対応するパスワードが登録されていないならば、または当該メモに対応するパスワードが入力されたならば、前記メモ表示手段は当該メモに係る情報を表示すると共に、当該メモに対応する通知先が登録されていたならば、前記メモ送信手段は当該メモに係る情報を前記通知先へ送信することを特徴とする。
【発明の効果】
【０００８】
本発明によれば、利用者または利用者グループが入力した、イベントもしくは行動の予定に係る予定メモ、伝言情報に係る伝言メモ、備忘録としての一時メモを利用者自身の備忘録または利用者グループの共有情報として表示するのに好適な、小型，経済的なメモ自動表示装置を提供出来る。
【図面の簡単な説明】
【０００９】
【図１】メモ自動表示装置１の機能ブロック構成図である。
【図２】メモ記憶部１０８の記憶内容例を模式的に表した図である。
【図３】メモ表示方法記憶部１１０の記憶内容を模式的に表した図である。
【図４】メモ自動表示装置１の動作を説明するためのフロー図である。
【発明を実施するための形態】
【００１０】
以下、本発明の実施形態について、図面を用いて説明する。
【００１１】
図１は、メモ自動表示装置（以下、本装置と略す）１の機能ブロック構成図である。本装置１は、表示部１０１と、操作部１０２と、通信制御部１０３と、入力情報制御部１０４と、メモ入力喚起制御部１０５と、出力情報制御部１０６と、メモ記憶部１０７と、メモ表示方法入力喚起制御部１０８と、メモ表示方法記憶部１０９と、メモ抽出部１１０と、カレンダー／時計部１１１と、メモ表示制御部１１２と、パスワード入力喚起制御部１１３と、パスワード一時記憶／判定部１１４と、メモ編集制御部１１５と、メモ表示停止制御部１１６と、を有する。
【００１２】
表示部１０１は、メモ内容およびメモに係る情報の表示、および利用者へのメモの入力、パスワードの入力、メモ内容、またはメモに係る情報の表示方法の入力を要求する際にその旨を含む入力画面を表示する。
【００１３】
操作部１０２は、利用者がメモの入力、パスワードの入力、メモの表示方法の設定、メモ内容またはメモに係る情報の表示の停止を行うための入力操作手段である。
【００１４】
通信制御部１０３は、ネットワーク２との通信制御を行い、後述するメモ記憶部１０７に記憶されている通知先３へ、メモ内容およびメモに係る情報を送信する。
【００１５】
入力情報制御部１０４は、操作部１０２より入力された情報に基づいて、メモ入力喚起制御部１０５、メモ記憶部１０７、メモ表示方法入力喚起制御部１０８、メモ表示方法記憶部１０９、パスワード一時記憶部／判定部１１４、メモ編集制御部１１５、メモ表示停止制御部１１６のいずれかへ当該入力された情報を出力する。
【００１６】
メモ入力喚起制御部１０５は、操作部１０２より入力情報制御部１０４を介してメモ入力要求が入力されると、出力制御部１０６に対してメモ入力画面を出力するように指示を出す。
【００１７】
出力情報制御部１０６は、メモ入力喚起制御部１０５から指示を受けると、表示部１０１に対してメモ入力画面を表示するように制御する。また、出力情報制御部１０６は、メモ表示方法入力喚起制御部１０８からの指示を受けると、表示部１０１に対してメモ表示方法入力画面を表示するように制御する。また、出力情報制御部１０６は、メモ表示制御部１１２からの指示を受けると、表示部１０１に対してメモ表示を行うように制御する。また、出力情報制御部１０６は、パスワード入力喚起制御部１１３からの指示を受けると、表示部１０１に対してパスワード入力画面を表示するように制御する。また、出力情報制御部１０６は、メモ表示停止制御部１１６の指示を受けると、表示部１０１に対して現在表示中のメモの表示を停止するように制御する。
【００１８】
メモ記憶部１０７は、操作部１０２より入力情報制御部１０４を介してメモの入力が行われると、当該メモ内容を記憶する。また、メモ記憶部１０７は、メモ抽出部１１０からの指示があると、記憶済みのメモ内容の内、指示されたメモ内容をメモ抽出部１１０へ出力する。
【００１９】
図２は、メモ記憶部１０７の記憶内容例を模式的に表した図である。
【００２０】
図示するように、メモ記憶部１０７には、入力されたメモ毎にレコード１０７０が登録される。レコード１０７０は、メモ毎に割り振られるメモＩＤを登録するフィールド１０７１と、表示開始日時を登録するフィールド１０７２と、当該メモを表示するためのパスワードを登録するフィールド１０７３と、メモ内容を登録するフィールド１０７４と、通信制御部１０３を介してメモ内容およびメモに係る情報を送信する通知先を登録するフィールド１０７５と、メモの種別を識別するための識別コード（予定メモ、伝言メモ、備忘録など）を登録するフィールド１０７６と、を有する。
【００２１】
メモ表示方入力喚起制御部１０８は、操作部１０２より入力情報制御部１０５を介してメモ表示方法の入力要求があると、メモ表示方法の入力要求に応じた表示を行うように出力情報制御部１０６に対して指示をする。
【００２２】
メモ表示方法記憶部１０９はメモ表示方法の入力要求を受けた後に操作部１０２より入力情報制御部１０４を介してメモ表示方法の入力が行われるとメモ表示方法を記憶する。記憶後、メモ表示制御部１１２に対してメモ表示方法を通知する。
【００２３】
図３は、メモ表示方法記憶部１０９に記憶されている内容を模式的に表した図である。図示するように、メモ表示方法記憶部１０９は、メモ表示方法の入力が行われるとレコード１０９０が登録される。レコード１０９０は、メモの表示方法（順次表示方法、連結スクロール表示、一覧表示のいずれか）を登録するフィールド１０９１と、自動表示するか否かを登録するフィールド１０９２と、表示するメモの種別を識別するための識別コード（予定メモ、伝言メモ、備忘録など）を登録するフィールド１０９３と、を有する。
【００２４】
メモ抽出部１１０は、カレンダー／時計部１１１から定期的に現在の日時分を取得し、現在の日時分を表示開始日時と設定しているメモが存在するか否かをメモ記憶部１０７に問い合わせる。メモ記憶部１０７に現在の日時分を表示開始日時と設定しているメモが存在する場合には、当該メモ内容をメモ表示制御部１１２へ出力する。
【００２５】
また、メモ抽出部１１０は、メモ記憶部１０７に当該現在の日時分を表示開始日時と設定しているメモが存在し、且つ、そのメモを表示するためのパスワード設定がされている場合、当該パスワードをパスワード一時記憶部／判定部１１３に渡し、パスワード一時記憶部／判定部１１４にて入力パスワードが合致した旨の通知を受ける。パスワード一時記憶部／判定部１１４より入力パスワードが合致した旨の通知を受け取ると当該メモ内容をメモ表示制御部１１２に渡す。
【００２６】
また、メモ抽出部１１０は、メモ編集制御部１１５よりメモ編集の要求を受けると、当該メモを検索および抽出を行い、当該メモ内容をメモ表示制御部１１２へ出力する。そのときメモを編集するためのパスワード設定がされている場合、当該パスワードをパスワード一時記憶部／判定部１１４に渡す。
【００２７】
カレンダー／時計部１１１は、現在の日時分をメモ抽出部１１０へ出力する手段であって、カレンダーおよび時計機能を有する。メモ抽出部１１０より現在の日時分を問われると、当該時刻を返答する。
【００２８】
メモ表示制御部１１２は、メモ抽出部１１０から受け取ったメモ内容を出力制御部１０６に渡し、さらにメモ表示方法記憶部１０９を参照し、メモ表示方法記憶部１０９に記憶されている形式にてメモ内容を表示するように指示をする。
【００２９】
パスワード入力喚起制御部１１３は、メモ抽出部１１０よりパスワード喚起の指示を受けると、出力情報制御部１０６に対してパスワード入力画面を表示するように指示をする。
【００３０】
パスワード一時記憶／判定部１１４は、メモ抽出部１１０よりメモ表示またはメモ編集に対してパスワードが必要な場合に、当該パスワードを受け取り、一時的に記憶する。
【００３１】
パスワード一時記憶／判定部１１４はさらに、パスワード入力喚起画面を表示している場合に操作部１０２より入力情報制御部１０４を介してパスワードの入力が行われると、一時的に記憶しているパスワードと一致したか否かを判定し、一致した場合、その旨をメモ抽出部１１０に返す。
【００３２】
また、パスワード一時記憶／判定部１１４は、メモ編集制御部１１５からパスワード一時記憶／判定部１１４にパスワードが記憶されているかの確認が行われると、一時的に記憶しているパスワードと一致したか否かを判定し、一致した場合、その旨をメモ編集制御部１１５に返す。
【００３３】
また、メモ編集制御部１１５は、メモの編集が行われると、パスワード一時記憶／判定部１１４にパスワードが記憶されているかを確認し、メモ抽出部１１０を介してパスワー入力喚起制御部１１３に対してパスワード喚起を行い、そのパスワードが一致した事をパスワード一時記憶／判定部１１４から受けると、メモ記憶部１０７に対して編集されたメモを更新するよう指示する。
【００３４】
メモ表示停止制御部１１６は、操作部１０２より入力情報制御部１０４を介して表示中のメモの表示停止要求を受け取ると、出力制御部１０６に対して当該メモの表示停止を指示する。
【００３５】
図４は、本装置１の動作を説明するためのフロー図である。このフローは、本装置１に電源が投入されることにより開始される。
【００３６】
まず、本装置１は、電源投入によりメモ入力要求があるか否かを判定する（Ｓ４０１）。メモ入力要求があった場合（Ｓ４０１でＹＥＳ）、メモ入力画面を表示し（Ｓ４０２）、入力されたメモ内容をメモ記憶部１０７に記憶する（Ｓ４０３）。
【００３７】
次にカレンダー／時計部１１２より現在の日時分を取得する（Ｓ４０４）。その後、取得した日時分を表示開始日時と設定しているメモがあるか否かを判定する（Ｓ４０５）。取得した日時分を表示開始日時と設定しているメモがある場合（Ｓ４０５でＹＥＳ）、そのメモがメモ表示方法記憶部１０９に記憶している識別コードに合致するメモか否かを判定する（Ｓ４０６）。
【００３８】
メモ表示方法記憶部１０９に記憶している識別コードに合致するメモであった場合（Ｓ４０６でＹＥＳ）、メモの表示にパスワード設定がされているか否かを判定する（Ｓ４０７）。
パスワード設定がされている場合（Ｓ４０７でＹＥＳ）、パスワード入力喚起を行う（Ｓ４０８）。その後、設定されているパスワードと、合致するパスワードの入力が行なわれたか否かを判定する（Ｓ４０９）。
【００３９】
合致するパスワードの入力が行なわれた場合(Ｓ４０９でＹＥＳ)、メモ表示方法記憶部１０９に記憶している表示方法で該当するメモを表示する（Ｓ４１０）。その後、表示中のメモの通知先が登録されているか否かを判定する(Ｓ４１１)。表示中のメモの通知先が登録されている場合(Ｓ４１１でＹＥＳ)、該当する通知先に表示中のメモを送信する(Ｓ４１２)。また、メモ表示方法の入力要求があった場合（Ｓ４０１でＮＯ、Ｓ４１３でＹＥＳ）、メモ表示入力画面を表示する（Ｓ４１４）。そして入力されたメモ表示方法を記憶する（Ｓ４０５）。その後、ステップ４０４以降を実施する。
【００４０】
メモ編集要求があった場合（Ｓ４１３でＮＯ、Ｓ４１６でＹＥＳ）、メモ識別コード入力画面を表示し（Ｓ４１７）、入力されたメモ識別コードに合致するメモを検索する（Ｓ４１８）。入力されたメモ識別コードに合致するメモが存在する場合（Ｓ４１８でＹＥＳ）、合致したメモを一覧表示し（Ｓ４１９）、該当するメモの編集を受け付ける（Ｓ４２０）。その後、パスワード入力喚起を行い（Ｓ４２１）、設定されているパスワードと合致するパスワードが入力されたかを判定する（Ｓ４２２）。設定されているパスワードと合致するパスワードと一致した場合（Ｓ４２２でＹＥＳ）、編集されたメモを更新する（Ｓ４２３）。その後、ステップ４０４以降を実施する。設定されているパスワードと合致するパスワードと一致しなかった場合（Ｓ４２２でＮＯ）、ステップ４０４以降を実施する。
【００４１】
表示中のメモ表示停止要求があった場合（Ｓ４１６でＮＯ、Ｓ４２４でＹＥＳ）、表示中のメモ表示を停止する（Ｓ４２５）。その後、ステップ４０４以降を実施する。
【００４２】
以上、本発明の一実施の形態を説明した。本実施の形態に係るメモ自動表示装置１において、利用者または利用者グループが入力した、イベントもしくは行動の予定に係る予定メモ、伝言情報に係る伝言メモ、備忘録としての一時メモを利用者自身の備忘録または利用者グループの共有情報として表示することが可能となる。
【００４３】
また、本装置１はメモ検出／メモ抽出部１１０は、カレンダー／時計部１１１と連携することによって、メモ入力時に入力された表示開始日時が到来すると自動的にメモの内容もしくは前記メモの存在に係る情報を表示させることが出来る。
【００４４】
また、本装置１は、メモ表示制御部１１２においてメモ表示方法記憶部１０９に記憶している表示方法（順次表示、連結スクロール表示、一覧表示のいずれか）でメモの内容もしくは前記メモの存在に係る情報を表示させることが出来る。
【００４５】
また、本装置１は、メモ表示制御部１１２においてメモ表示方法記憶部１０９に記憶している識別コードを特定し、記憶しているメモの識別コードに合致したメモの内容もしくは前記メモの存在に係る情報を表示させることが出来る。
【００４６】
また、本装置１は、メモの入力時に設定されたパスワードを利用することによって、メモの表示の許可又は表示の禁止、メモの編集の許可または編集の禁止を行なうことができる。
【００４７】
また、本装置１は、メモの入力時に通知先の入力がなされると、メモ入力時に入力された表示開始日時が到来すると、登録された通知先へメモの内容もしくは前記メモの存在に係る情報に通知させることが出来る。
【００４８】
なお、本発明は上記の実施の形態に限定されるものではなく、その要旨の範囲内で数々の変形が可能である。
【００４９】
上記の実施の形態において、図１に示す本装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【００５０】
１・・・メモ自動表示装置
２・・・ネットワーク
３・・・通知先
１０１・・・表示部
１０２・・・操作部
１０３・・・通信制御部
１０４・・・入力情報制御部
１０５・・・メモ入力喚起制御部
１０６・・・出力情報制御部
１０７・・・メモ記憶部
１０８・・・メモ表示方入力喚起制御部
１０９・・・メモ表示方法記憶部
１１０・・・メモ抽出部
１１１・・・カレンダー／時計部
１１２・・・メモ表示制御部
１１３・・・パスワード入力喚起制御部
１１４・・・パスワード一時記憶／判定部
１１５・・・メモ編集要制御部
１１６・・・メモ表示停止制御部
【図１】
0005938961.tif 000002
【図２】
0005938961.tif 000003
【図３】
0005938961.tif 000004
【図４】
0005938961.tif 000005